(57)【特許請求の範囲】
【請求項１】
主開閉器の負荷側に接続され，電圧相及び中性相の各相の母線に回路遮断器と接続される分岐線が複数設けられた複数の分岐開閉器に電力を供給する母線に接続される回路遮断器の端子構造であって、
各相における複数の分岐線のうち隣り合う２箇所の分岐線に亘る大きさに、回路遮断器の幅方向の外郭が設けられる一方、
回路遮断器の端子部に設けられた接続部が隣り合う２箇所の同相の分岐線に亘って接続される、一体で幅広い形状にプラグイン構造に形成されて、
通常の接続部と板厚をそのままにして接続部の定格電流を増加させて接続することを特徴とする回路遮断器の端子構造。
【発明の詳細な説明】
【技術分野】
【０００１】
本発明は，導体を接続する端子構造に関し，特に，同相の分岐線導体を同時に複数個接続可能な端子構造に関する。
【背景技術】
【０００２】
住宅に設けられる分電盤においては，通常，使用可能な定格電流が定められており，分電盤内部に設けられる主開閉器と分岐開閉器を接続する母線や分岐線は，該分電盤又は分岐開閉器それぞれの定格電流を連続的に使用した場合において，電気的に十分耐えうるように設計されている（非特許文献１参照）。
【０００３】
近年，消費電力が大きな電気機器の増加や，電化住宅が増加することにより，住宅における電力需要は増加傾向にあり，これに伴い，分電盤の定格電流の範囲内で，より大きな電流を分岐回路に供給できることが望まれている。
【０００４】
例えば消費電力が大きな電気機器として電気温水器や電磁調理器などが挙げられる。新築住宅においては，このような，消費電力が大きな電気機器の使用を想定し，相応の定格電流容量を備えた分電盤を設置することが多い。
【０００５】
ところが，既築住宅に設置されてある分電盤においては，予備の分岐回路スペースを設けて構成している場合があるが，このような，消費電力が大きな電気機器の追加設置を想定していない場合が多く，単に，分電盤の予備回路スペースに，追加配線を行うだけでは既存の分電盤における分岐線の定格電流容量を超えてしまうおそれがあるため，通常は，前述したような消費電力が大きな電気機器を追加設置する場合には，その電気機器用の分岐開閉器を，分電盤内に専用回路を設けて設置したり，既存の分電盤とは別に専用盤を設けて設置することが多かった。
【０００６】
【非特許文献１】社団法人日本配線器具工業会  規格  住宅用分電盤  ＪＷＤＳ０００７  項２６−９  ５．６母線及び分岐線
【発明の開示】
【発明が解決しようとする課題】
【０００７】
しかしながら，前述したような，消費電力が大きな電気機器を追加設置する場合において，その電気機器用の分岐開閉器を，分電盤内に専用回路を設けて設置したり，既存の分電盤とは別に専用盤を設けて設置する場合には，施工の手間が大きく不便であったり，また，別途専用盤を用意するためのコストや，該専用盤の施工コストが上乗せとなり，作業者にとっても利用者にとってもコストと手間がかかるという問題があった。また，既存の住宅盤に加えて別途専用盤を設置するスペースも必要となることから設置スペースの確保が必要となるなど省スペース性が悪いという問題があった。
【０００８】
また，前述したような，消費電力が大きな電気機器はその消費電流が大きいため，通常の分岐開閉器の定格電流容量（２０Ａ〜３０Ａ）では不足し，相応の定格電流容量を備えた分岐開閉器（４０Ａ〜５０Ａ）を使用することが必要となるが，この場合，通常の分岐開閉器の使用を想定した分電盤においては，その分岐線の定格電流容量を超えるおそれがあり，異常発熱や火災が発生するおそれがあるという問題がある。そのため，既存の分電盤を，所定の定格電流容量を備えた分岐線や母線を有する新しい分電盤に置き換えるという対応策があるが，分電盤の置き換えにあたり，全ての配線を取り外し，再び施工する必要があるなど，作業面やコストの面で非常にデメリットがあるという問題があった。
【０００９】
そこで，本発明はこのような課題に鑑みてなされたものであり，作業者，利用者共にコストを低減できるとともに，施工性，省スペース性に優れ，しかも，分電盤の変更を行わずとも分電盤の定格電流容量の範囲内で安全に，分岐回路により大きな電流を供給することが可能な端子構造を提供することを目的としている。
【課題を解決するための手段】
【００１０】
上記目的を達成するために，請求項１の発明では，主開閉器の負荷側に接続され，電圧相及び中性相の各相の母線に回路遮断器と接続される分岐線が複数設けられた複数の分岐開閉器に電力を供給する母線に接続される回路遮断器の端子構造であって、各相における複数の分岐線のうち隣り合う２箇所の分岐線に亘る大きさに、回路遮断器の幅方向の外郭が設けられる一方、回路遮断器の端子部に設けられた接続部が隣り合う２箇所の同相の分岐線に亘って接続される、一体で幅広い形状にプラグイン構造に形成されて、通常の接続部と板厚をそのままにして接続部の定格電流を増加させて接続することを特徴として回路遮断器の端子構造を提供したものである。
【００１１】
このような構成によれば，同相の分岐線導体において複数の箇所の接続部を通じて回路遮断器に電源の供給を行うことができるため，例えば分電盤に設けられる個々の分岐線のうち，接続される複数の分岐線の定格容量の合計容量に相当する電流を所定の分岐開閉器に供給でき，消費電流が大きな電気機器の使用を行う場合などに，分岐回路に，より大きな電流を供給することが可能となる。
【００１２】
所定の分岐開閉器は予備の分岐回路スペースなどに設置できるため，分電盤内に別途専用の分岐開閉器の設置スペースを設けることや，既存の分電盤のほかに新たに専用盤などを設ける必要がなくなり，コストを低減でき，施工性，省スペース性に優れた分電盤の定格電流容量の範囲内で安全に，分岐回路により大きな電流を供給することが可能な端子構造を提供することができる。
【００１３】
削除
【００１４】
削除
【００１５】
削除
【００１６】
削除
【００１７】
また，分電盤に設けられた同一の電圧相の導体としての分岐線もしくは中性相の導体としての分岐線と各々同時に接続することが可能となり，同相の分岐線導体において複数の箇所の接続部を通じて回路遮断器に電源の供給を行うことができるため，例えば分電盤に設けられる個々の分岐線のうち，接続される複数の分岐線の定格容量の合計容量に相当する電流を所定の分岐開閉器に供給でき，消費電流が大きな電気機器の使用を行う場合などに，分岐回路に，より大きな電流を供給することが可能となる。
【００１８】
削除
【００１９】
削除
【００２０】
削除
【００２１】
削除
【発明の効果】
【００２２】
本発明の回路遮断器の端子構造は，同相の分岐線を同時に複数個接続する分岐線接続部を備えたことを特徴として構成されたものであるから，同相の分岐線導体において複数の箇所の接続部を通じて回路遮断器に電源の供給を行うことができるため，例えば分電盤に設けられる個々の分岐線のうち，接続される複数の分岐線の定格容量の合計容量に相当する電流を所定の分岐開閉器に供給でき，消費電流が大きな電気機器の使用を行う場合などに，分岐回路に，より大きな電流を供給することが可能となる。所定の分岐開閉器は予備の分岐回路スペースなどに設置できるため，分電盤内に別途専用の分岐開閉器の設置スペースを設けることや，既存の分電盤のほかに新たに専用盤などを設ける必要がなくなり，コストを低減でき，施工性，省スペース性に優れた分電盤の定格電流容量の範囲内で安全に，分岐回路により大きな電流を供給することが可能な端子構造を提供することができる。
【発明を実施するための最良の形態】
【００２３】
以下に本件発明の実施の形態に係る回路遮断器の端子構造について，図面を参照しつつ詳細に説明する。
【００２４】
図１から図６は，本発明の回路遮断器の端子構造の実施の形態を示している。図１及び図２は，導体と２極回路遮断器の接続を模式的に表した図である。図１は同相における分岐線接続部が各々別体に設けられた図であり，図２は同相における分岐線接続部が一体に設けられた図を示している。
【００２５】
図１において，１は第一の相の母線，２は第二の相の母線を示しており，それぞれ電圧相，中性相とする。また，各々の母線には，回路遮断器と接続される分岐線が複数設けられている。
【００２６】
３から６は回路遮断器の分岐線接続部を示しており，それぞれ第一の接続部，第二の接続部，第三の接続部，第四の接続部である。ここで，第一の接続部３及び第二の接続部４は，第一の相の母線１に接続され，第三の接続部５及び第四の接続部６は，第二の相の母線２に接続される。
【００２７】
第一の接続部３と第二の接続部４，また，第三の接続部５と第四の接続部６は，それぞれ所定の電流容量を備えた導体により接続されて，回路遮断器の第一の極，及び第二の極を形成している。第一の相の母線１，第二の相の母線２から，これら接続部を介して供給された電流は，回路遮断器内部に設けられた各極の開閉機構により開閉される接点装置を通って，負荷側端子から負荷回路に導かれる。
【００２８】
第一の相の母線１及び第二の相の母線２の定格容量は，分電盤の定格電流を連続通電した場合において，十分耐えうる大きさに定められている。また，母線に複数設けられた分岐線については，各々の定格容量は分岐開閉器の定格容量を連続通電した場合において，十分耐えうる大きさに定められている。例えば，通常用いられる分岐開閉器の定格電流が２０Ａとした場合，分岐線の定格容量は少なくとも２０Ａの使用を見積もって設計されている。
【００２９】
ここで，電気温水器や電磁調理器など消費電力が大きな電気機器を使用するにあたり，通常用いられる分岐開閉器よりも定格電流が大きな，定格電流が４０Ａの分岐開閉器を設置する必要がある場合には，分岐線の定格容量も設置される分岐開閉器の定格電流に合わせて，少なくとも４０Ａの定格容量を確保する必要があるが，既存の分岐線の定格容量は２０Ａであるため，そのままでは分岐開閉器を設置することができない。
【００３０】
このような場合，図１に示したような導体と回路遮断器との接続においては，各々の分岐線の定格容量は２０Ａであっても，回路遮断器の端子は同相の分岐線に対して複数個所で接続する構造のため，同相の分岐線と２箇所で接続する場合には合計４０Ａまで供給できるようになり，前述したような消費電力が大きな電気機器の使用にあたって，定格電流が大きな分岐開閉器を設置する場合においても，該分岐開閉器の設置のために専用の回路や専用盤を別途設ける必要がなく，通常の定格電流の分岐開閉器と差し替えるだけで設置を行うことができる。
【００３１】
なお，回路遮断器の端子の構造は，分岐線を差し込み，ねじ締め固定するねじ締め式であっても，接続部分が略コの字状に設けられ，分岐線を弾性的に挟み込むよう設けられるプラグイン式であってもよい。
【００３２】
次に図２において，１は第一の相の母線，２は第二の相の母線を示しており，それぞれ電圧相，中性相とする。また，各々の母線には，回路遮断器と接続される分岐線が複数設けられている。
【００３３】
７，８は回路遮断器の分岐線接続部を示しており，それぞれ第一の接続部，第二の接続部である。ここで，第一の接続部７は第一の相の母線１に設けられた複数の分岐線のうち２箇所の分岐線と接続され，第二の接続部８は第二の相の母線２に設けられた複数の分岐線のうち２箇所の分岐線と接続される。
【００３４】
第一の接続部７は回路遮断器の第一の極を形成し，第二の接続部８は第二の極を形成している。第一の相の母線１，第二の相の母線２から，これら接続部を介して供給された電流は，回路遮断器内部に設けられた各極の開閉機構により開閉される接点装置を通って，負荷側端子から負荷回路に導かれる。
【００３５】
第一の相の母線１及び第二の相の母線２の定格容量は，分電盤の定格電流を連続通電した場合において，十分耐えうる大きさに定められている。また，母線に複数設けられた分岐線については，各々の定格容量は分岐開閉器の定格容量を連続通電した場合において，十分耐えうる大きさに定められている。前述したように，例えば，通常用いられる分岐開閉器の定格電流が２０Ａとした場合，分岐線の定格容量は少なくとも２０Ａの使用を見積もって設計されている。
【００３６】
ここで，電気温水器や電磁調理器など消費電力が大きな電気機器を使用するにあたり，通常用いられる分岐開閉器よりも定格電流が大きな，定格電流が４０Ａの分岐開閉器を設置する必要がある場合には，分岐線の定格容量も設置される分岐開閉器の定格電流に合わせて，少なくとも４０Ａの定格容量を確保する必要があるが，既存の分岐線の定格容量は２０Ａであるため，そのままでは定格電流が４０Ａの分岐開閉器を設置することができない。
【００３７】
このような場合，図２に示したような導体と回路遮断器との接続においては，各々の分岐線の定格容量は２０Ａであっても，回路遮断器の端子は同相の分岐線に対して複数個所で接続する構造のため，同相の分岐線と２箇所で接続する場合には合計４０Ａまで供給できるようになり，前述したような消費電力が大きな電気機器の使用にあたって，定格電流が大きな分岐開閉器を設置する場合においても，該分岐開閉器の設置のために専用の回路や専用盤を別途設ける必要がなく，通常の定格電流の分岐開閉器と差し替えるだけで設置を行うことができる。
【００３８】
なお，回路遮断器の端子の構造は，分岐線を差し込み，ねじ締め固定するねじ締め式であっても，接続部分が略コの字状に設けられ，分岐線を弾性的に挟み込むよう設けられるプラグイン式であってもよい。
【００３９】
次に，図３から図６を用いてその他の実施形態の回路遮断器の端子構造について説明する。
【００４０】
図３は本発明の回路遮断器の端子構造を備えた回路遮断器の外観図を示したものである。１００は回路遮断器，１０１は端子部，１１１は第一の接続部，１１２は第二の接続部，１２１は第三の接続部，１２２は第四の接続部である。なお，本実施の形態においては端子部はプラグイン形式で構成されているものを示している。
【００４１】
第一の接続部１１１と第二の接続部１１２，及び第三の接続部１２１と第四の接続部１２２は，それぞれ同相の分岐線に接続される。また，第一の接続部１１１と第二の接続部１１２，及び第三の接続部１２１と第四の接続部１２２は，それぞれ，所定の電流容量を備えた導体により接続されて，回路遮断器の第一の極，及び第二の極を形成している。
【００４２】
図５は回路遮断器が配設される分電盤の母線部分を示したものである。２００は中性相の導体の母線（Ｎ相の母線），３００は第一の電圧相の導体の母線（Ｌ１相の母線という），４００は第二の電圧相の導体の母線（Ｌ２相の母線という）である。
【００４３】
また，２０１はＮ相の母線と分岐開閉器に接続される第一のＮ相の分岐線，２０２は同じく第二のＮ相の分岐線，２０３は第三のＮ相の分岐線，２０４は第四のＮ相の分岐線であり，３０１はＬ１相の母線に設けられた第一のＬ１相の分岐線，３０２は同じく第二のＬ１相の分岐線，３０３は第三のＬ１相の分岐線，３０４は第四のＬ１相の分岐線である。
【００４４】
通常，第一のＮ相の分岐線２０１と第一のＬ１相の分岐線３０１，第二のＮ相の分岐線２０２と第二のＬ１相の分岐線３０２，第三のＮ相の分岐線２０３と第三のＬ１相の分岐線３０３，第四のＮ相の分岐線２０４と第四のＬ１相の分岐線３０４を対として，分岐開閉器に接続されて分岐回路に電源を供給する。
【００４５】
図６は，分電盤の母線部分に，本発明の回路遮断器の端子構造を備えた回路遮断器１００を配設した外観図を示している。図２に示したように，回路遮断器１００には，第一の接続部１１１と第二の接続部１１２，及び第三の接続部１２１と第四の接続部１２２が，それぞれ同相の分岐線に接続されるように設けられているため，第一の接続部１１１と第二の接続部１１２は，それぞれ第三のＬ１相の分岐線３０３と第四のＬ１相の分岐線３０４と接続され，
第三の接続部１２１と第四の接続部１２２は，それぞれ第三のＮ相の分岐線２０３と第四のＮ相の分岐線２０４と接続される。
【００４６】
各々の分岐線の定格容量が２０Ａである場合，図６のように同相において２箇所の分岐線から電流を供給することにより，合計４０Ａの定格電流を持つ回路遮断器の使用が可能となるため，消費電力が大きな電気機器の使用にあたって定格電流が大きな分岐開閉器を設置する場合においても，該分岐開閉器の設置のために専用の回路や専用盤を別途設ける必要がなく，通常の定格電流の分岐開閉器と差し替えるだけで設置を行うことができる。
【００４７】
次に図４には，本発明の第二の回路遮断器の端子構造を備えた回路遮断器の外観図を示したものである。５００は回路遮断器，５０１は端子部，５１１は第一の接続部，５２１は第二の接続部である。なお，本実施の形態においては端子部はプラグイン形式で構成されているものを示している。
【００４８】
第一の接続部５１１，及び第二の接続部５２１，各々同相の分岐線に接続され，回路遮断器の第一の極，及び第二の極を各々形成している。
【００４９】
前述した回路遮断器の端子部１０１に設けられた各接続部と比べて，本実施例の回路遮断器の端子部５０１に設けられた接続部は幅広い形状となっている。このように幅広い形状に形成することにより，板厚はそのままで接続部の定格電流を増加させることができる。すなわち，所望する回路遮断器の定格電流に合わせて接続部の幅を適宜定めることで種々の定格電流に対応することができる。
【００５０】
また，後述するが，母線に設けられた分岐線の間隔に合わせて接続部の幅方向の大きさを定めることにより，同時に接続できる分岐線の個数を適宜定めることができ，それにより，所望する定格電流を母線の定格電流の範囲内において負荷回路に供給することが可能となる。
【００５１】
図７は，図５で説明した分電盤の母線部分に，本発明の回路遮断器の端子構造を備えた回路遮断器５００を配設した外観図を示している。図４に示したように，回路遮断器５００には，第一の接続部５１１，及び第三の接続部５２１が，それぞれ同相の分岐線に接続されるように設けられているため，第一の接続部５１１は，第三のＬ１相の分岐線３０３と第四のＬ１相の分岐線３０４と接続され，第二の接続部５２１は，第三のＮ相の分岐線２０３と第四のＮ相の分岐線２０４と接続されるように配設される。
【００５２】
各々の分岐線の定格容量が２０Ａである場合，図７のように同相において２箇所の分岐線から電流を供給することにより，合計４０Ａの定格電流を持つ回路遮断器の使用が可能となるため，消費電力が大きな電気機器の使用にあたって定格電流が大きな分岐開閉器を設置する場合においても，該分岐開閉器の設置のために専用の回路や専用盤を別途設ける必要がなく，通常の定格電流の分岐開閉器と差し替えるだけで設置を行うことができる。
【００５３】
なお，同時に接続する分岐線の数は同相において２箇所を例として説明を行ったが，例えば５０Ａの分岐開閉器を設置する場合には，同相において３箇所の分岐線と接続を行うように端子部分を設けてもよい。すなわち，接続する分岐線の数に合わせて，端子部１０１に設けられる接続部の数を適宜変更して設けるよう構成するとよい。
【００５４】
なお，本発明は，実施の形態に限定されることなく，発明の要旨を逸脱しない限りにおいて，適宜必要に応じて，改良や設計は自由であり，例えば，第一の接続部５１１が，第三のＬ１相の分岐線３０３と第四のＬ１相の分岐線３０４と接続され，
第二の接続部５２１が，第三のＮ相の分岐線２０３と第四のＮ相の分岐線２０４と接続されるほか，第二の接続部５２１が，Ｌ２相の分岐線と接続されるように用いてもよい。
【産業上の利用可能性】
【００５５】
以上説明したように，本発明の回路遮断器の端子構造は，同相の分岐線を同時に複数個接続する分岐線接続部を備えたものであるから，実施例で示したような分岐回路へより大きな電流を供給する用途の他，同相の端子接続部を複数設けたことにより電流供給の経路が複数用意されることとなり，通常の分岐開閉器の定格電流の使用にあたっては，片方の端子部に機械的な破損や通電不良が生じた場合においても，もう片方の端子により電流の供給が可能となるなど信頼性が向上できるという可能性がある。
【図面の簡単な説明】
【００５６】
【図１】本発明の第一の実施形態を示す図である。
【図２】本発明の第二の実施形態を示す図である。
【図３】本発明のその他の実施形態を示す図である。
【図４】本発明のその他の実施形態を示す図である。
【図５】分電盤の母線部分を示す図である。
【図６】回路遮断器を設置した図である。
【図７】回路遮断器を設置した図である。
【符号の説明】
【００５７】
１  第一の母線
２  第二の母線
３  第一の接続部
４  第二の接続部
５  第三の接続部
６  第四の接続部
７  第一の接続部
８  第二の接続部
１００  回路遮断器
１０１  端子部
１１１  第一の接続部
１１２  第二の接続部
１２１  第三の接続部
１２２  第四の接続部
２００  中性相の導体の母線
３００  第一の電圧相の導体の母線
４００  第二の電圧相の導体の母線
５００  回路遮断器
５０１  端子部
５１１  第一の接続部
５１２  第二の接続部
【図１】
0004748477.tif 000002
【図２】
0004748477.tif 000003
【図３】
0004748477.tif 000004
【図４】
0004748477.tif 000005
【図５】
0004748477.tif 000006
【図６】
0004748477.tif 000007
【図７】
0004748477.tif 000008